(57)【要約】【課題】十分に衝撃を吸収できると共に耐久性の高いブランコ用のシートを提供する。【解決手段】ブランコ用シート１は、板状の基体２０と、基体２０の外周を覆うクッション体３０と、取付金具４０とからなる。クッション体３０には（ａ）のように角部３１と凹入部３２が設けられている。クッション体３０の裏面には（ｄ）のように緩衝穴３８が複数１列に設けられている。緩衝穴３８はクッション体３０の形状に応じて長穴３８ａ、円形穴３８ｂ、三角穴３８ｃ、扁平穴３８ｄの各種形態を有している。凹入部３２の近傍には円形穴３８ｂが設けられ、凹入部３２に加わる荷重による劣化を防止している。角部３１の三角穴３８ｃ及び長穴３８ａは表面硬さが柔らかいので、衝突の際の緩衝効果が高い。【選択図】  図１
2010220726.tif 000002
【特許請求の範囲】
【請求項１】
使用者の体重を支える板状の基体と、少なくとも前記基体の上面及び側面を覆うクッション体とを備えたブランコ用シートであって、ブランコの揺動方向を前後方向とし、揺動方向に水平に直交する方向を左右方向としたときに、
前記クッション体は、少なくとも前記基体の前後に設けられる中実部と、前記中実部の前後方向の外方位置に設けられる緩衝穴とを備え、
前記基体は、前後の端縁に前記中実部の屈曲を防止する抑止部が設けられ、
前記緩衝穴は、上方が閉塞されると共に下方が開放され、底面視で角が円形の形状に形成され、且つ１列に設けられていることを特徴とするブランコ用シート。
【請求項２】
前記クッション体は、前後端縁の使用者の荷重が加わる位置に、前記抑止部から前後方向への突出量が少ない凹入部を有し、
前記中実部は前後方向の幅が一定に形成され、
前記緩衝穴は、前記凹入部において、他の箇所に比べて前後方向に短く形成されていることを特徴とする請求項１に記載のブランコ用シート。
【請求項３】
前記緩衝穴は、前記クッション体の四方の角部に底面視で外方に広がる扇状に形成されていることを特徴とする請求項１又は２に記載のブランコ用シート。
【請求項４】
前記緩衝穴は、上方から下方にかけて徐々に大径となるように形成されていることを特徴とする請求項１，２又は３のいずれか１項に記載のブランコ用シート。
【発明の詳細な説明】
【技術分野】
【０００１】
本発明は、公園等に設置されるブランコ用のシートに関する。
【背景技術】
【０００２】
公園等に設置される遊具であるブランコについては、従来より衝突時の衝撃の軽減を目的として種々工夫がなされている。例えば、下記特許文献１には、ブランコの腰掛けであって、乗る人の重量を支えるプレート状の硬質部材と、硬質部材の周囲を覆うクッション部材とを有し、このクッション部材が硬質部材の周囲を取り囲む縁部と、縁部から垂れ下がったスカートとを備え、このスカートが人等に衝突したときに蝶番状に曲がって硬質部材の下側に移動することにより衝突時の衝撃を吸収する構成が開示されている。
【０００３】
また、下記特許文献２には、特許文献１に記載されたブランコの腰掛の基本的構成を備えるブランコの腰掛けが開示されている。このブランコの腰掛けは、乗る人の体重を支える平板状の芯部材と、所定の肉厚を有して芯部材をとりまくクッション部材とを有し、このクッション部材が、芯部材の周囲に配置される中実のクッション部分と、クッション部分の外側に２列に配列された緩衝用の穴とからなっている。
【０００４】
この緩衝用の穴は、座席面である上面が閉塞され、下方が開放された円柱状の窪みからなる穴であり、それぞれ隣り合う穴同士の境界部分が柱となっている。また、内側列の穴と外側列の穴とは交互に互い違いに設けられ、ブランコの進行方向に沿って、外側列の穴の中心の延長線上に、内側列の穴間の柱の中心が位置するように配置されている。また、前記クッション部材には、前記外側列の穴と内側列の穴により、外側列の柱と内側列の柱が形成されるが、内側列の穴の径を小さくすることにより、内側列の柱が太くなるように形成されている。
【０００５】
当該特許文献２に開示されたブランコの腰掛けは、腰掛け部分が人等に衝突した場合、まずクッション部分の外皮が変形し、これに伴って外側列の柱が屈曲すると共に内側列の柱が屈曲し、その後、中実のクッション部分が変形するようになっており、衝突の際の衝撃を徐々に和らげるようにしている。
【先行技術文献】
【特許文献】
【０００６】
【特許文献１】特許第３５３９９５６号公報
【特許文献２】特公昭５６−３２９５３号公報
【発明の概要】
【発明が解決しようとする課題】
【０００７】
ところで、ブランコを揺らすときには着座した使用者が重心を前後に移動させるため、重心を移動させる度に使用者の尻や足の下方位置で腰掛けに体重が加わる位置が変化する。特に、腰掛けの上面（使用者の尻や足と接している面）の前端縁及び後端縁に、体重が加わる状態と加わらない状態とが繰り返される。即ち、腰掛けの前後端縁には繰り返し荷重が頻繁に発生することになる。
【０００８】
特許文献１に開示されたブランコの腰掛けは、人等と衝突したときにスカートが蝶番状に曲がって衝撃を吸収する構成となっているが、通常の使用時にも腰掛けの前後端縁に繰り返し荷重が頻繁に発生するため、蝶番状に曲がる部分に繰り返し荷重が加わり、当該部分に応力集中が繰り返し発生する。このため、特許文献１に開示されたブランコの腰掛けでは、蝶番部分の耐久性に問題がある。
【０００９】
また、特許文献１に開示されたブランコの腰掛けでは、スカートの下端部で人等と衝突した際には上述のように蝶番状に曲がるが、スカートの上方位置で人等と衝突したときには上記蝶番の支点部分での衝突となるので、スカートによる緩衝作用が期待できないという不都合がある。
【００１０】
また、特許文献１及び２に開示されたブランコの腰掛けは、繰り返し荷重が発生する前後端縁近傍に幅方向に２列に配列された穴が設けられている。この２列の穴の部分に繰り返し荷重が加わると、構造上外側列の柱と内側列の柱との連結部分に応力が集中する。このため、特許文献１及び２に記載された腰掛けにおいては、２列の穴の間の柱部分の耐久性に問題がある。
【００１１】
本発明は、ブランコ用のシートの改良を目的とし、さらに詳しくは前記不都合を解消するために、十分に衝撃を吸収できると共に耐久性の高いブランコ用のシートを提供することを目的とする。
【課題を解決するための手段】
【００１２】
前記目的を達成するために、本発明のブランコ用シートは、使用者の体重を支える板状の基体と、少なくとも前記基体の上面及び側面を覆うクッション体とを備えたブランコ用シートであって、ブランコの揺動方向を前後方向とし、揺動方向に水平に直交する方向を左右方向としたときに、前記クッション体は、少なくとも前記基体の前後に設けられる中実部と、前記中実部の前後方向の外方位置に設けられる緩衝穴とを備え、前記基体は、前後の端縁に前記中実部の屈曲を防止する抑止部が設けられ、前記緩衝穴は、上方が閉塞されると共に下方が開放され、底面視で角が円形の形状に形成され、且つ１列に設けられていることを特徴とする。
【００１３】
本発明のブランコ用シートによれば、前記緩衝穴が前記クッション体の中実部に沿って１列に設けられているため、前記クッション体の前端部又は後端部に荷重が加わった場合でも、荷重は各緩衝穴の間の１列の壁部（柱）及び前記中実部に加わる。また、前記中実部の裏面は前記基体の抑止部により屈曲が抑えられている。このように、本発明のブランコ用シートでは、特許文献１記載の腰掛けのように蝶番構造を有しておらず、公知文献１及び２に開示された腰掛けのように柱と柱の連結部分に応力が集中することがないため、従来のものに比べて耐久性を向上させることができる。
【００１４】
また、本発明のブランコ用シートにおいては、前記クッション体は、前後端縁の使用者の荷重が加わる位置に、前記抑止部から前後方向への突出量が少ない凹入部を有し、前記中実部は前後方向の幅が一定に形成され、前記緩衝穴は、前記凹入部において、他の箇所に比べて前後方向に短く形成されていることが好ましい。
【００１５】
当該構成によれば、使用者から加えられる荷重は前記クッション体の凹入部で受けることになるため、前記凹入部の先端縁に加わる荷重によって発生する前記クッション体に対する曲げモーメントは他の部分に比べて小さくなる。従って、当該構成により、平面視で長方形である従来の腰掛けに比べて耐久性を向上させることができる。また、前記凹入部を設けることにより、クッション体の他の部分は前記凹入部よりも突出する凸部となるが、当該凸部においては前記凹入部よりも前記緩衝穴の前後方向の長さが長く形成され、前記凹入部よりも緩衝作用が大きくなる（柔らかくなる）ため、前記凹入部が形成されることによって不利益は生じない。
【００１６】
また、本発明のブランコ用シートにおいては、前記緩衝穴は、前記クッション体の四方の角部に底面視で外方に広がる扇状に形成されていることが好ましい。当該構成によれば、前記扇形状の緩衝穴を形成する一対の柱の間隔が、前記中実体に近い位置よりも前記クッション体の表面に近い位置の方が広くなるため、前記クッション体の角部の緩衝作用が大きくなる。従って、人等が前記クッション体の角部に衝突した場合であっても、その衝撃を大きく緩和することができる。
【００１７】
また、本発明のブランコ用シートにおいては、前記緩衝穴は、上方から下方にかけて徐々に大径となるように形成されていることが好ましい。前記クッション体は、通常直方体に近い形状で形成されているが、前記緩衝穴を上方から下方にかけて大径となるように形成することにより、前記クッション体の下端部の緩衝作用を上方位置に比べて大きくすることができる。従って、人等が前記クッション体の下端部に衝突した場合であっても、その衝撃を大きく緩和することができる。
【図面の簡単な説明】
【００１８】
【図１】（ａ）〜（ｄ）は本発明の実施形態の一例であるブランコ用シートを示す説明図。
【図２】図１のＩＩ−ＩＩ線断面図。
【図３】図１のブランコ用シートの裏面の一部拡大図。
【発明を実施するための形態】
【００１９】
次に、本発明のブランコ用シートの実施形態の一例について、図１乃至図３を参照して説明する。本願では、図１（ａ）の上下方向をブランコの前後方向、図１（ａ）の左右方向をブランコの左右方向、図１（ｂ）の上下方向をブランコの上下方向として説明する。
【００２０】
図１（ａ）〜（ｄ）及び図２に示すように、本実施形態のブランコ用シート１は、全体として板状の基体２０と、基体２０の周囲を囲むように設けられたクッション体３０と、クッション体３０の左右位置から上方に逆Ｖ字状に延びる取付金具４０とを備えている。
【００２１】
基体２０は、アルミ合金の押し出し成形で形成されており、図２に示すように、前後端縁から下方に延びる抑止部２１と、前後方向中央部に２本平行に設けられたリブ２２とを備えている。また、図１（ｄ）に示すように、左右方向端部近傍に取付金具４０が挿通される取付穴２３が４箇所に設けられている。
【００２２】
抑止部２１は、図２に示すように、断面視で角Ｃ字状に形成されており、前後面は平坦に形成され、下端部には内方に突出する突出部２４が設けられている。また、リブ２２は、表面に露出する下端縁が円弧状に面取されている。
【００２３】
クッション体３０は、図１（ａ）に示すように、四方の角部３１が円弧状に形成されると共に、前後端縁も大きく円弧状にカーブしており、左右方向外側位置に内方に窪んだ凹入部３２が形成されている。また、図１（ａ）及び図２に示すように、クッション体３０の表面には、六角形状に突出する滑り止めブロック３３と、前後端縁近傍で左右方向に長く形成された滑り止め突起３４とが設けられている。また、図１（ｂ）に示すように、取付金具４０の周囲は、上方に盛り上がったガード部３５となっており、内部には取付金具４０が挿入される貫通孔３６を有している。
【００２４】
本実施形態では、クッション体３０は、ＥＰＴ（エチレン・プロピレンゴム）を素材として、基体２０と一体成形することにより形成されている。これにより、クッション体３０が基体２０の表面に固着され、その内部に基体２０の抑止部２１が入り込んだ構成となっている。抑止部２１には突出部２４が設けられているので、当該構成によりクッション体３０と基体２０とが強固に固着されている。本実施形態では、素材であるＥＰＴとしてゴム硬度（ＪＩＳ Ｋ ６２５３）が４０のものを使用している。
【００２５】
また、クッション体３０には、図１（ｄ）及び図２に示すように、基体２０の抑止部２１の外側に設けられたソリッド部（中実部）３７と、ソリッド部３７の外側に設けられた緩衝穴３８とが形成されている。ソリッド部３７は、抑止部２１の外側から緩衝穴３８との間の幅、即ち前後方向の幅が一定となるように形成されている。また、緩衝穴３８は、後述するように種々の形態があるが、すべて角部が円弧状に形成されており、応力の集中が起きないようになっている。
【００２６】
緩衝穴３８は、図３に示すように、クッション体３０の左右方向の中央部分近傍に設けられた縦長の長穴３８ａと、凹入部３２に設けられた円形穴３８ｂと、角部３１に設けられた扇形の三角穴３８ｃと、クッション体３０の左右端縁近傍に設けられた前後方向に長い扁平穴３８ｄとを有している。また、図２に示すように、緩衝穴３８は、それぞれ上方部分が狭く、下方に従って徐々に広くなる断面視で台形形状となるように形成されている。また、各緩衝穴３８の間には壁部３９ａが形成され、各緩衝穴とクッション体３０の表面との間には外皮部３９ｂが形成されている。
【００２７】
取付金具４０は、クッション体３０のガード部３５に設けられた貫通孔３６に挿通され、先端のねじ部４１が基体２０の取付穴２３を貫通して外部に露出し、ナット４２によって基体２０に取り付けられている。本実施形態では、取付金具４０はステンレス鋼を用いて形成されている。この取付金具４０には、チェーンやロープ等が接続され、公園等に設けられているブランコ用のフレームに取り付けられる。
【００２８】
本実施形態のブランコ用シート１は、上記構成となっているので、クッション体３０の表面に使用者が着座して揺らしたときは、クッション体３０の前後端縁近傍に使用者の体重がかかる。このとき、図２を参照すると、例えば前方（図２において右側）の滑り止め突起３４の上方から荷重が加わると、基体２０の右側端縁の上端部を中心としてクッション体３０に下向きの曲げモーメントが発生する。しかしながら、基体２０の前後端縁には下方に延びる抑止部２１が形成されているため、滑り止め突起３４から加わる荷重は壁部３９ａ及びソリッド部３７を介して抑止部２１で支えられる。
【００２９】
この抑止部２１は、クッション体３０の厚さよりも若干短く形成され、ほぼクッション体３０の厚さと同様の長さを有している。このため、本実施形態のクッション体３０は、上記特許文献１に開示されたスカートのように蝶番状に変形することがないので、特定の部分のみが疲労するという不都合は生じない。また、緩衝穴３８がクッション体３０の周囲に１列に配置されているため、２列以上の配列となっている上記特許文献１及び２に開示されたものに比べて耐久性が高い。
【００３０】
また、クッション体３０には凹入部３２が設けられており、凹入部３２はクッション体３０の前後端縁の中央部よりも内側に窪んでいる。このため、使用者の体重が加わった場合でも、凹入部３２で発生する曲げモーメントはその他の箇所で発生する曲げモーメントよりも小さくなるので、クッション体３０に与える影響が小さくなる。また、この凹入部３２が設けられている箇所は、使用者が着座した際の足（太股）の下に位置する場合が多く、使用者が立った状態で使用する場合でも足の下に位置する場合が多い。従って、当該凹入部３２を設けることにより、クッション体３０の劣化を抑制することができる。さらに、凹入部３２を設けることにより、従来の単なる長方形のシートに比べて意匠性の高いシートを提供することができる。
【００３１】
また、本実施形態では、凹入部３２の左右外側にガード部３５が設けられており、このガード部３５は図１（ｃ）に示すようにクッション体３０の前後端縁近傍まで山状に広がって形成されている。このため、このガード部３５は、クッション体３０の前後方向のリブとして効果があり、凹入部３２に加わる荷重の一部を受け止め、クッション体３０全体の耐久性向上に寄与している。
【００３２】
また、クッション体３０の表面には、滑り止めブロック３３及び滑り止め突起３４が設けられているため、使用者がシート上を滑りにくくなる。また、滑り止めブロック３３は平面視で六角形状に形成されているため、単なる細いラインや小さい半球状の突起に比べて耐久性が高く、意匠性も高くなっている。また、滑り止め突起２２も幅を比較的広くとっているため、耐久性が高い形状となっている。さらに、滑り止めブロック３３はそれぞれ間隔を存して設けられており、滑り止め突起２２についても左右端部がクッション体３０のガード部３５と離れているため、雨が降った場合でも雨水は各ブロックやリブの間から下方に流れてクッション体３０の表面に溜まることがない。
【００３３】
次に、本実施形態のブランコ用シート１を揺らしているときに何らかの物体が衝突した際の各部の作用について説明する。ブランコ用シート１の使用中に何らかの物体が衝突した場合、まずはクッション体３０の外周面と物体とが接触する。このクッション体３０は、ＥＰＴで形成されているため、素材自体にクッション性がある。また、クッション体３０の内面の周囲には緩衝穴３８が設けられている。このため、クッション体３０の外周面と緩衝穴３８との間の外皮部３９ｂが変形することによって緩衝作用が生じる。また、各緩衝穴３８同士の間には壁部３９ａが形成されており、この壁部３９ａが屈曲することによっても緩衝作用が生じる。
【００３４】
さらに、緩衝穴３８の内周部にはソリッド部３７が形成されており、このソリッド部３７も素材がＥＰＴであるため、クッション性がある。しかも、ソリッド部３７では物体を面として受け止めるので、衝突による衝撃が大きい場合であっても、基体２０の抑止部２１と物体との間で衝撃が確実に緩和される。
【００３５】
特に、本実施形態では、凹入部３２よりも外方に突出している左右方向の中央部近傍は緩衝穴３８が長穴３８ａになっており、四隅の角部３１は緩衝穴３８が三角穴３８ｃになっている。長穴３８ａが設けられている部分は、各穴の間の壁部３９ａの長さが長くなっており、壁部３９ａの厚さは同じであるため、凹入部３２の円形穴３８ｂが設けられている部分よりも表面から押したときの硬さが柔らかくなっている。また、三角穴３８ｃについても同様で、三角穴３８ｃの外側部分は壁部３９ａと壁部３９ａとの間が広く、外皮部３９ｂの厚さは他の部分と同じであるため、角部３１の他の部分に比べて表面から押したときの硬さが柔らかくなっている。
【００３６】
本実施形態のブランコ用シート１が何らかの物体に衝突する場合は、まずこれらの突出部分が衝突する可能性が高いが、これらの突出部分では、衝撃を柔らかく受け止める構成となっているため、衝突する物体に与える衝撃を小さくすることができる。
【００３７】
また、ブランコの使用状態によっては、ブランコ用シート１の下端部に物体が衝突する場合がある。本実施形態では、緩衝穴３８は側断面視で略台形状に形成され、クッション体３０の下端部の外皮部３９ｂが上方位置よりも薄くなっている。このため、ブランコ用シート１の下端部に衝突した物体に加わる衝撃を柔らかく吸収して緩和することができる。
【００３８】
また、ブランコの左右方向に物体が衝突する場合、通常ブランコは左右方向には揺れが少ないため、想定される衝撃も小さい。従って、本実施形態においては、クッション体３０の左右に設けられた緩衝穴３８は、扁平に形成された扁平穴３８ｄとなっている。
【００３９】
上記構成を有する本実施形態のブランコ用シート１について、日本公園施設業協会の「遊具の安全に関する規準  ＪＰＦＡ−Ｓ：２００８」に適合しているか、シミュレーション解析による評価を行った。当該規準は、国土交通省の指針である「都市公園における遊具の安全確保に関する指針（改訂版）」に基づくものであり、米国の「遊具の使用領域内に用いる表面材料の衝撃緩和に関する規格」に準拠している。本規準の値は、衝撃によって生まれる最大加速度（衝撃）ｇ−ｍａｘ値が２００未満、頭部損傷基準ＨＩＣ（Head Injury Criterion）値が１０００以下である。
【００４０】
シミュレーション解析は、ＣＡＤデータをもとに計算用３次元モデルを作成し、当該モデルに球状のアルミニウム合金を衝突させた際のｇ−ｍａｘ値及びＨＩＣ値を求めた。具体的には、ブランコの一般的な使用を想定し、シートに６０Ｋｇの重量が加わった状態でブランコをスイングさせ、子供の頭に見立てたアルミニウム合金球体に衝突させるという手法をとった。本実施形態のブランコ用シート１は、ｇ−ｍａｘ値が９２であり、ＨＩＣ値が２５６であった。以上の結果、本実施形態のブランコ用シート１は、遊具に関する規準であるＪＰＦＡ−Ｓ：２００８の値を大きく下回っていることが判明した。
【００４１】
なお、上記実施形態においては、基体２０の素材をアルミ合金とし、クッション体３０の素材をＥＰＴとしているが、これらは一例であり、他に既知の素材を用いることもできる。また、ＥＰＴのゴム硬度を４０としているが、上記規準（ＪＰＦＡ−Ｓ：２００８）に適合する範囲で、適宜ゴム硬度を変更してもよい。また、本実施形態では、クッション体３０の表面に滑り止めブロック３３と滑り止め突起３４とを設けているが、形状や位置は上記実施形態に限られるものではない。
【符号の説明】
【００４２】
１…ブランコ用シート、２０…基体、２１…抑止部、３０…クッション体、３７…ソリッド部（中実部）、３８…緩衝穴。
【図１】
2010220726.tif 000003
【図２】
2010220726.tif 000004
【図３】
2010220726.tif 000005